【手続補正書】
【提出日】平成17年9月16日(2005.9.16)
【手続補正１】
【補正対象書類名】明細書
【補正対象項目名】００２０
【補正方法】変更
【補正の内容】
【００２０】
図２Ａおよび図２Ｂは、本発明に従うデバイスの動作の状態線図である。“モード”、“状態”という用語は、以下の説明において同じ意味で使われる。デバイスが起動されるとき、例えば、図１のプロセッサ２で実行されるプログラムの制御のもと、第１モード８に入る。第１モード８は、カラーウォッシュ（color wash）を提供し、ここではLEDが、連続的に全色のスペクトルを通って、もしくはこの色のスペクトルのいくつかの部分を通って循環する。第１モード８において、カラーウォッシュのレートは、例えば図１に示されるメモリ６に記憶されるパラメータによって決定されてもよい。ボタン、ダイアル、スライダなどのユーザインタフェースを介して、ユーザは、カラーウォッシュのレートを調整してもよい。それぞれのモードにおけるパラメータは、そのモードによって作られる発光効果の異なる側面に対応してもよく、または、それぞれのモードが異なるパラメータにアクセスして、引き続きそのモードに回帰する間、持続性を維持してもよい。
【手続補正２】
【補正対象書類名】明細書
【補正対象項目名】００３１
【補正方法】変更
【補正の内容】
【００３１】
図３は、本発明に従うグロースティックを示す。グロースティック１５は、図１を参照して上記説明されたコンポーネントを含んでもよく、また、図２Ａ、図２Ｂを参照して上記説明された技術に従って動作してもよい。グロースティック１５は、ランヤード、ひも、チェーン、ブレスレット、アンクレット、キーチェーン、ネックレス、例えばクリップ２０などから吊される、小さい円筒状のどのようなデバイスであってもよい。グロースティック１５は、ここで説明される多くの発光デバイスのように、携帯用のデバイスとして使用されてもよい。グロースティック１５は、グロースティック１５内部にある、Ａ、ＡＡ、ＡＡＡサイズのバッテリー、またはその他のバッテリーなどのバッテリー３０から動作してもよい。バッテリー３０は、通常の使用時にバッテリーを隠す、取り付け可能な部位３５に覆われていてもよい。
【手続補正３】
【補正対象書類名】明細書
【補正対象項目名】００３９
【補正方法】変更
【補正の内容】
【００３９】
図８は、本発明に従うエジソンマウント電球を示す。この電球１８０は、異なるユーザインタフェースを有する、図７の電球１５０に類似のものである。電球１８０のユーザインタフェースは、サムホイール１８５およびツーウェイスイッチ１９０を含む。この態様において、スイッチ１９０は、一連の利用可能なモードを通して、進めたり、戻したりするために使用される。例えば、電球１８０が、１〜４と番号を付された４つのモードを有する場合、図８のスイッチ１９０を左にスライドさせると、モードが１つ進み、すなわち、モードが１から２に移動する。また、図８のスイッチ１９０を右にスライドさせると、モードが１つ戻る、すなわち、モードが２から１に移動する。
【手続補正４】
【補正対象書類名】明細書
【補正対象項目名】００４４
【補正方法】変更
【補正の内容】
【００４４】
このシステムは、以前標準的な発光デバイスが使用されているような領域において、多種の発光効果を作り出すために使用され得る。ここで説明されるように、ユーザは、既設の白熱光電球をLED発光デバイスに置き換えることができ、また、壁の調光器を、部屋のなかの色変化効果を制御するために使用することができる。
図９は、本発明に従う電球を示す。図９に示されるように、電球２００は、エジソンマウントフィクスチャ以外のフィクスチャ、例えばＭＲ−１６などの、直流電力システムと使用してもよい低電圧フィクスチャ２１０、から動作してもよい。
【手続補正５】
【補正対象書類名】明細書
【補正対象項目名】００４５
【補正方法】変更
【補正の内容】
【００４５】
図１０は、本発明に従うウォールソケットに取り付けられたライトを示す。ライト２１５は、例えば、ＡＮＳＩ規格に従って組み立てられる１１０Ｖの交流の出口２２０に適応するプラグを含んでもよい。ライト２１５は、スイッチおよびサムホイールをユーザインタフェース２３０、および出口２２０への挿入に適応する、１または２以上のスペード２４０を含んでもよい。ライト２１５の本体は、光を壁に導いて、ウォールウォッシング効果の色を変化させるために、反射表面を含んでもよい。
【手続補正６】
【補正対象書類名】明細書
【補正対象項目名】００４６
【補正方法】変更
【補正の内容】
【００４６】
図１１は、本発明に従うナイトライトを示す。ナイトライト２４２は、例えば、１１０Ｖの交流の出口２４６に適応するプラグ２３５を含んでもよい。ナイトライト２４２は、ナイトライト２４２内の複数のLEDを制御するために、図１に記されたシステムなどを含んでもよく、図２Ａおよび図２Ｂを参照して上記説明された技術に従って動作してもよい。ナイトライト２４２は、光透過性物質２４８を含んでもよく、LEDからの光を、例えば下方向に導く。また、ナイトライト２４２は、低量の周囲光を検出するセンサ２５０を含んでもよく、ナイトライト２４２が、光が低量な条件の場合のみ、起動されてもよい。
【手続補正７】
【補正対象書類名】明細書
【補正対象項目名】００４９
【補正方法】変更
【補正の内容】
【００４９】
また、ナイトライト３２０は、時計／カレンダーを含んでもよく、上記説明された季節的な発光表示が実現されてもよい。また、図１２の態様において、ナイトライト３２０のドーム３４５は、ユーザインタフェースとして動作する。第１矢印３５０の方向にドーム３４５を押すことによって、モードが選択されてもよい。第２矢印３５５の方向にドーム３４５を回転させることによって、そのモードにおけるパラメータが選択されてもよい。上記態様のいくつかのように、ナイトライト３２０は、ナイトライト３２０の制御回路への適切な直流電力を生成する変換器を含んでもよい。
【手続補正８】
【補正対象書類名】明細書
【補正対象項目名】００７４
【補正方法】変更
【補正の内容】
【００７４】
図２２は、内部照射用回路構成部を有する本発明に従うデバイスの態様のブロック線図である。デバイス２２００は、図１、図２Ａおよび図２Ｂを参照して説明されたようなシステムを含み得る着用可能なアクセサリである。このデバイスは、プロセッサ２２０２、駆動回路２２０４、１または２以上のLED２２０６、および電源２２０８を含むボディを有してもよい。デバイス２２００は、プログラムを受信してインタフェースとして働く入力／出力２２１０を任意に含んでもよく、デバイス２２００の動作を制御する。ボディ２２０１は、LED２２０６からの光がボディ２２０１から逃げることを可能にするために、透明、半透明、または半透明拡散（translucent-diffusing）である光透過部を含んでもよい。LED２２０６は、縁に沿うように、または拡散物質の裏に、目立たないように配置される。表面取り付けLEDは、直接ボディ２２０１に、拡散物質の内部表面上に固定されてもよい。
【手続補正９】
【補正対象書類名】明細書
【補正対象項目名】００７８
【補正方法】変更
【補正の内容】
【００７８】
図２３は、外部照射用回路構成部を有する、本発明に従うデバイスの態様の概要図である。図２３に示されるように、着用可能なアクセサリ２３００は、１または２以上のLED２３０４を含む着用可能なアクセサリなどの、第１ハウジング２３０２を含んでもよい。プロセッサ２３０６、制御器２３０８、電源２３１０、および入力／出力２３１２を含む照射用回路構成部は、第１ハウジングの外側にあり、第２ハウジング２３１４に含まれてもよい。リンク２３１６が提供され、照射用回路構成部が駆動信号を第１ハウジング２３０２内のLEDに伝達してもよい。この構成は、第１ハウジング２３０２が小さいアクセサリ、または例えばシャツのボタンの中にあるような離れた回路に接続される、その他の着用可能なアクセサリであるような適用例にとって都合がよい。LED２３０４を除く全ての照射用回路構成部が、第１ハウジングの外部にある一方、１または２以上のコンポーネントは、第１ハウジング２３０２に含まれてもよいと認識されるであろう。
【手続補正１０】
【補正対象書類名】明細書
【補正対象項目名】００７９
【補正方法】変更
【補正の内容】
【００７９】
図２４は、本発明に従う自律的に色が変化する靴を記す。靴２４００は、主要部２４０２、踵２４０４、爪先２４０６、および靴底２４０８を含む。主要部２４０２は、人間の足を収容するのに適応し、靴に使用されるのに適するいずれかの物質で作られてよい。踵２４０４は、半透明物質、拡散物質から形成されてもよく、図１、図２Ａおよび図２Ｂで説明されたようなシステムをその中に装備してもよい。さらに、自律的な色変化能を伴う踵２４０４の代わりに、爪先２４０６、靴底２４０８、またはその他の部分など、靴２４００の別の部分が自律的な色変化システムを含んでもよい。靴の組が提供されてもよく、それぞれが入力／出力システムを含み、２つの靴が互いに交信しあって、同調した色変化を達成してもよい。靴２４００の態様において、回路構成部が靴底２４０８内に配置されてもよく、踵２４０４もしくは爪先２４０６、またはその両方にLEDを駆動するためのワイヤを備える。
【手続補正１１】
【補正対象書類名】明細書
【補正対象項目名】００８５
【補正方法】変更
【補正の内容】
【００８５】
アイシクル２６０４は、１または２以上のLEDで光をあてられて、照射される。１つのLEDが使用される場合、アイシクル２６０４は、強度が変化する単一の色の光をあてられてよく、または強度は固定されていてもよい。一態様において、アイシクルライト２６００は、１以上のLEDを含み、別の態様において、LEDは異なる色である。アイシクルライト２６００に異なる色のLEDを提供することによって、アイシクルライト２６００の色合い、濃さおよび輝度が変化させることができる。付加的な色を提供するために、２以上のLEDを使用することができる。それぞれの色がオンまたはオフにするための回路構成部を持つ、アイシクルライト２６００に２つのLEDが使用される場合、いずれのLEDも活性化されない場合の黒を含む、４種の色を作り出すことができる。アイシクルライト２６００に３つのLEDを使用し、それぞれのLEDが３つの強度設定を有する場合、３３、つまり２７種の色の選択が可能になる。一態様において、LED制御信号は、８ビット（＝２５６の組み合わせ）の分解能（resolution）を伴うＰＷＭ信号である。３つの異なる色のLEDを使用して、２５６＾３または１６７０万色が利用可能になる。
【手続補正１２】
【補正対象書類名】明細書
【補正対象項目名】００９０
【補正方法】変更
【補正の内容】
【００９０】
図３１は、本発明に従うロープライトを示す。ロープライト３１００は、複数のLEDまたは図１、図２Ａおよび図２Ｂを参照して説明されたLEDサブシステム３１０２を含んでもよい。一態様において、異なる色の３つのLEDダイが、各LEDサブシステム３１０２に同梱されてよく、それぞれのダイは個別に制御可能である。複数のこれらLEDサブシステム３１０２は、フレキシブルで半透明な管３１０４の内部に配置されてもよい。LEDサブシステム３１０２は、管３１０４に沿って、例えば６インチ毎の等間隔で位置してもよく、管３１０４の軸３１０６に沿って導かれる。LEDサブシステム３１０２は、上記説明されたシステムおよび方法のいずれかを介して制御されてもよい。
【手続補正１３】
【補正対象書類名】明細書
【補正対象項目名】０１１０
【補正方法】変更
【補正の内容】
【０１１０】
発光デバイス３９００は、容易に取り外し可能な電源アダプタとともに示されているが、別の有用な態様は、このような容易に取り外し可能な電源アダプタを有さなくてもよい。例えば、フレキシブルなネック部材３９０２は、取り外されないように別のデバイスに押し付けられてもよい。別の態様において、アダプタ３９０８は、この用途に特別に設計された別の封入物（enclosure）に合うように設計されてもよい。
例えば、図４０は、ジャンクボックス４００２を示し、このジャンクボックスは、発光デバイス４０００または図４０に示される発光デバイス３９００のような、１または２以上の発光デバイス用の出力を含んでもよい。このボックス４００２は、内部で自身に光をあててもよく、および／または多種の発光デバイス用の出力を含んでもよい。ボックス４００２は、ユーザインタフェース、ネットワーク接続部またはデータ出力、センサまたはその他のデバイス、またはボックス内もしくはボックスに接続される光の制御を可能にする接続部のいずれの組み合わせを含んでもよい。
【手続補正１４】
【補正対象書類名】明細書
【補正対象項目名】０１４７
【補正方法】変更
【補正の内容】
【０１４７】
図５４は、本発明に従う別の態様を示す。この態様における拡散表面５３０２は、不完全さをその物質の大部分または表面に含む。この不完全さは、照射デバイス５００からの距離に従って大きくなるように、および／または短い間隔で存在するように配置されてもよい。この配置は、発光デバイス５０００から実質的に均一な照射光を生成するために使用されてもよい。不完全さは、例えば物質中のバブルでもよく、または不完全さは物質の表面にパターンを形成してもよい。物質の表面のパターンは、あまり多くの光が通過できない領域および高い透過率で通過を可能にするその他の領域を含んでもよい。透過領域の非透過領域に対する相対比率は、照射デバイス５００からの距離の関数として変化してもよい。例えば、透過領域は、LEDからの距離が増大するにつれて増大してもよい。この配置は、発光デバイス５０００から実質的に一様な照射光を提供する。光の透過率が低い領域は、全体の発光効率を最大化するために、高い反射率の領域を含んでもよい。このような発光効果を得るための物質は、３Ｍコーポレーションから利用可能であり、例えば、Conformable Lighting Elementが挙げられる。
【手続補正１５】
【補正対象書類名】図面
【補正対象項目名】図１６
【補正方法】変更
【補正の内容】
【図１６】
2005504411.tif 000001